(57)【要約】【課題】設置場所を確保する必要がなく、配線工事等を円滑に行うことができる無停電電源装置を提供する。【解決手段】無停電工事を行う際に引込線を介して工事対象となる建造物に必要な電力を供給する無停電電源装置１は、建造物の需要電力を一定時間賄うためのバックアップ電源２を収納した筐体３と、バックアップ電源２を前記引込線と電気的に接続する接続ケーブル６とを備え、バックアップ電源２を収納した筐体３は、ベルト体４や吊下部５によって、前記引込線を支持する電柱に着脱自在に取り付けられる。【選択図】図２
2008236970.tif 000002
【特許請求の範囲】
【請求項１】
無停電工事を行う際に引込線を介して工事対象となる建造物に必要な電力を供給する無停電電源装置であって、
前記建造物の需要電力を一定時間賄うためのバックアップ電源を収納した筐体と、
前記バックアップ電源を前記引込線と電気的に接続する接続手段と、
前記引込線を支持する支持体に前記筺体を着脱自在に取付ける取付手段と
を備えることを特徴とする無停電電源装置。
【請求項２】
請求項１記載の無停電電源装置において、
前記取付手段は、前記筺体を前記支持体の周囲に巻き付け可能なベルト体であることを特徴とする無停電電源装置。
【請求項３】
請求項１又は２記載の無停電電源装置において、
前記取付手段として、前記筺体を前記支持体の突出部に吊り下げ可能な吊下部を備えることを特徴とする無停電電源装置。
【請求項４】
請求項１乃至３のいずれか１項記載の無停電電源装置において、
前記接続手段は、電力ケーブルと、該電力ケーブルを前記引込線に着脱自在に接続する接続クランプを備えることを特徴とする無停電電源装置。
【発明の詳細な説明】
【技術分野】
【０００１】
本発明は、電力設備の工事等に伴う停電の際に用いられる無停電電源装置に関する。
【背景技術】
【０００２】
従来、無停電工事を行う際には、小型発電機を台車に乗せて工事現場に運び、発電機から配電工事等に伴って停電する建造物に電力を供給している。しかし、小型発電機を用いた場合には、台車への積み替えやその配置場所を確保すること等が煩雑であると共に、発電機の運転音による騒音問題が生じる。そこで、配線工事等の対象となる建造物の需要電力を賄う容量に設定された電池電源等の直流電源と、該直流電源を系統電源に相当する交流のバックアップ電源に変換するＤＣ／ＡＣ変換部と、該バックアップ電源を電圧バランサを介して工事対象戸に給電する電源出力部とを備える無停電電源装置が用いられている（例えば、特許文献１参照）。
【０００３】
かかる無停電電源装置は、比較的小型の直流電源を設けて可搬型に形成されるため、発電機に比べて小型軽量で、作業員が工事現場に持ち運んで工事対象となる建造物を無停電で配電工事等することができる。
【特許文献１】特開平１０−２８５８３３号公報
【発明の開示】
【発明が解決しようとする課題】
【０００４】
しかしながら、このような無停電電源装置を配電工事現場に運び込んでも、その設置場所によっては配線工事等の支障になる場合がある。例えば、無停電電源装置を配電工事等を行う高所作業車の作業台に載置する場合には、無停電電源装置およびその接続ケーブル等が、配電作業等の妨げになるという不都合が生じる。逆に、無停電電源装置を路地に設置する場合には、無停電電源装置の出力電圧で一般の通行人等が感電することがないよう、誘導監視員を配置する必要が生じる。特に、配線工事等の現場では、工事機材、新たに布設するケーブルや張替え前の古いケーブル等が混在するため、工事支障とならないように、無停電電源装置およびその接続ケーブル等を適切な位置に設置することが望まれている。
【０００５】
そこで、本発明は、設置場所を確保する必要がなく、配線工事等を円滑に行うことができる無停電電源装置を提供することをその目的とする。
【課題を解決するための手段】
【０００６】
本発明は、無停電工事を行う際に引込線を介して工事対象となる建造物に必要な電力を供給する無停電電源装置であって、前記建造物の需要電力を一定時間賄うためのバックアップ電源を収納した筐体と、前記バックアップ電源を前記引込線と電気的に接続する接続手段と、前記引込線を支持する支持体に前記筺体を着脱自在に取付ける取付手段とを備えることを特徴とする。
【０００７】
本発明の無停電電源装置によれば、工事対象となる建造物に必要な需用電力を供給するバックアップ電源を収納した筐体を、取付手段により、建造物の引込線を支持する電柱等の支持体に着脱自在に取付けることができる。これにより、改めて無停電電源装置を設置する場所を確保する必要がなく、引込線に近い支持体の位置に無停電電源装置を取付けることができるため、無停電電源装置及びその引込線への接続手段が配電工事等の妨げにならず、円滑に該工事を行うことができる。
【０００８】
前記取付手段は、前記筺体を前記支持体の周囲に巻き付け可能なベルト体であることが好ましい。これにより、バックアップ電源を収納した筺体を支持体に着脱自在に取付ける構成を簡易に実現することができる。
【０００９】
前記取付手段として、前記筺体を前記支持体の突出部に吊り下げ可能な吊下部を備えることが好ましい。これにより、バックアップ電源を収納した筺体を、吊下部を介して、例えば、電柱の足場ボルト等の突出部に吊り下げることができ、該筺体を確実に支持体に取付けることができる。
【００１０】
前記接続手段は、電力ケーブルと、該電力ケーブルを前記引込線に着脱自在に接続する接続クランプを備えることが好ましい。接続クランプにより、前記バックアップ電源から延びる電力ケーブルを前記引込線に接続し、又は取外すことができ、無停電工事を容易に行うことができる。
【発明を実施するための最良の形態】
【００１１】
図１に示すように、本実施形態の無停電電源装置１は、内部に引込線を介して無停電工事の対象となる建造物に必要な電力を供給するバックアップ電源２（図２参照）を備える筐体３と、筐体３を引込線を支持する支持体としての電柱に取付けるベルト体４と、筐体３を電柱の足場等の突出部に吊り下げる吊下部５と、バックアップ電源２と引込線とを接続する接続手段としての電力ケーブル６とを備える。
【００１２】
図２に示すように、バックアップ電源２は、無停電工事の対象となる建造物の需用電力を一定時間賄うことができる直流電源としてのバッテリー２１と、バッテリー２１の電圧を商用の交流電圧に変換するインバータ回路等の回路部（図示略）を具備した制御部２２とを備える。
【００１３】
バッテリー２１は、工事作業が行われる数十分〜数時間程度の間の一般住宅（家庭）の平均消費電力（需要電力）を賄うように、１０ＫＷｈ程度の容量の例えば３０Ｖ〜４０Ｖの２次電池等からなる。バッテリー２１は、筐体３内の所定の位置にセットされると、その電極部分がバッテリーコネクタ２３に接続され、バッテリーコネクタ２３を介してバッテリー２１と制御部２２とが電気的に接続される。また、バッテリー２１は、複数個並列して用いることができ、各バッテリーは交換可能となっている。
【００１４】
制御部２２は、その前面に、無停電電源装置１をＯＮ又はＯＦＦするメインスイッチ２４と、出力電力の選定を行う切替スイッチ２５と、ディスプレイ２６とを備える。切替スイッチ２５は、出力電圧を系統電圧に合わせて１００Ｖ又は２００Ｖに設定することができるとともに、所定電流値以上の電流が流れた場合に無停電電源装置１をＯＦＦする電流閾値（例えば、１５又は３０アンペア）を設定することができる。ここで、設定された出力電力に従って、回路部が具備するインバータ回路が、バッテリー２１の直流電圧を交流に変換して下部の出力端子２７から出力する。また、回路部が具備する遮断回路により、引込線を介して系統電源によりバッテリー２１が逆充電されることが防止されると共に、サージ吸収回路を備えて系統電源からサージ、スパイク、ノイズ等が混入することを防止する。さらに、回路部が具備する演算回路の演算結果に基づいて、ディスプレイ２６には、無停電電源装置１の作動状態として、バッテリー２１の残量や、工事の対象となる建造物の消費電力等が表示される。
【００１５】
筐体３は、蓋部３２と筐体本体３３から成るアルミ製の箱体で、ヒンジ部３１を介して蓋部３２が筐体本体３３に対して開閉する。蓋部３２には、係合部３４が設けられており、蓋部３２を閉じたときに、係合部３４が筐体本体３３の爪部３５に係合して固定される。また、蓋部３２の下部には、出力端子２７の形状に合わせて切欠３６が設けられている。一方、筐体本体３３には、蓋部３２を閉じたときに接触する部分にゴムパッキンが装着されており、蓋部３２が閉じた状態で、筐体３内が密閉されて防水効果を発揮する。
【００１６】
ベルト体４は、皮革製のベルト本体４１と、その一端に設けられたバックル４２とを備え、ベルト本体４１には、バックル４２のピン４３を挿通して係止する複数の穴４４が所定間隔で形成されている。また、ベルト本体４１は、筐体本体３３に設けられた連結部材３８により連結されている。
【００１７】
吊下部５は、電柱の足場等を挿通可能な貫通孔５１を備えた金属性の板体であって、筐体本体３３の背面に連結して固定されている。
【００１８】
電力ケーブル６は、その一端側がコネクタ６１を介して制御部２２の出力端子２７に接続され、他端側が接続クランプ６２を介して工事対象となる建造物の引込線（図示略）に接続される。コネクタ６１には、ゴム製のカバー６３が設けられており、コネクタ６１と出力端子２７を接続した状態で、その接続部をカバー６３で覆って防水することができる。また、接続クランプ６２は、一部が開放されて引込線を挿通することできる挿通孔６４と摘み６５とを備え、摘み６５を回転させることにより、摘み６５に連結されたネジが挿通孔６４内に突出し、該ネジの先端部が挿通孔６４内の引込線に食い込んで、電力ケーブル６と引込線を電気的に接続する。
【００１９】
次に、上記無停電電源装置１の使用方法について説明する。
【００２０】
図３に示すように、無停電電源装置１は、引込線Ｘを支持する支持体、例えば、電柱Ｙに取り付けられて、配電工事等により停電となる建造物に、引込線Ｘを介して電力を供給することに用いられる。
【００２１】
無停電電源装置１の取り付けは、まず、当該配電工事等を行う作業員が、旋回および伸縮自在なブームの先端に作業台が取付けられた高所作業車（図示略）の作業台に、無停電電源装置１を積載して、電柱Ｙの引込線Ｘに近い位置まで移動する。作業台が、引込線Ｘに近い位置に到達すると、作業員は、電柱Ｙの足場Ｚの中から、無停電電源装置１を吊り下げるのに適した足場Ｚを選択する。そして、作業員は無停電電源装置１を把持して、選択した足場Ｚを吊下部５の貫通孔５１に挿通させ、無停電電源装置１を電柱Ｙに吊り下げる。次いで、ベルト本体４１を電柱Ｙに巻き付け、バックル４２のピン４３を穴４４に挿通して係止させて、無停電電源装置１を電柱Ｙに固定する。これにより、無停電電源装置１は、吊下部５及びベルト体４の２つの取付手段によって電柱Ｙに確実に取付けられる。
【００２２】
このように、無停電電源装置１は、その設置する場所を改めて確保する必要がなく、工事対象となる建造物の引込線Ｘに近い位置に容易に取付けることができ、配電工事等の妨げになることもない。また、柱上に設置されるため、路地に設置した場合のように無停電電源装置を監視する監視員を配置する必要もなく、作業人員も削減することができる。
【００２３】
次に、作業員は、電柱Ｙに取付けた無停電電源装置１から工事対象となる建造物の引込線Ｘまでの距離を目測し、適当な長さの電力ケーブル６を選択する。そして選択した電力ケーブル６の一端側のコネクタ６１を制御部２の出力端子２７に接続し、接続部をカバー６３で覆う。上述のように、無停電電源装置１は、工事対象となる建造物の引込線Ｘに近い位置に取り付けられているため、引込線Ｘに接続する電力ケーブル６も比較的短いものを使用することができ、電力ケーブル６が配電工事等の妨げになることもない。また、作業員が、電力ケーブル６と配電工事等で使用される他のケーブルとを取り違えることも防止することができる。
【００２４】
続けて、作業員は、絶縁手袋等を装着して、出力端子２７に接続された電力ケーブル６の他端側の接続クランプ６２を引込線Ｘに接続する。具体的に、電力ケーブル６と引込線Ｘとの接続は、挿通孔６４の一部が開放された部分から引込線Ｘを挿通孔６４内に挿通し、摘み６５を回転させて摘み６５に連結されたネジを挿通孔６４内に突出させることにより行われる。ネジが挿通孔６４内に突出すると、その先端の針部が引込線Ｘの絶縁被覆の一部を貫通して引込線Ｘ内のリード線に達し、引込線Ｘと電力ケーブル６とが電気的に接続される。
【００２５】
この状態で、作業者は、無停電電源装置１の蓋部３２を開けて、制御部２の切替スイッチ２５を操作して、工事対象となる建造物に合った出力電力の設定を行う。その上で、制御部２のメインスイッチ２４をＯＮにする。これにより、無停電電源装置１は、配電工事等によって系統電源が停電状態となったときに、バッテリー２１の直流電圧を系統電源と同じ交流電圧に変換して引込線Ｘ側に供給する。一方、配電工事等の作業中に、バッテリー２１の残量が低下した場合には、バッテリー２１を１つずつ交換することで、より長時間に亘って引込線Ｘに電力を供給し続けることができる。
【００２６】
そして、配電工事等が終了すると、作業員は、メインスイッチ２４をＯＦＦにして、接続クランプ６２を引込線Ｘから取り外し、針部によって損傷した引込線Ｘの絶縁被覆を絶縁テープ等で補修する。
【００２７】
最後に、作業者は、バックル４２のピン４３を穴４４から開放させて、ベルト本体４１を電柱Ｙから取り外し、足場Ｚに吊り下げられた無停電電源装置１をやや浮かせて、足場Ｚから高所作業車の作業台に無停電電源装置１を収容する。このように、本実施形態の無停電電源装置１によれば、電柱Ｙへの取り付けが容易かつ確実であるだけでなく、電柱Ｙからの取り外しも容易に行うことができ、作業負担を軽減することができる。
【００２８】
以上、本発明の一実施形態について説明したが、本発明は、これに限られるものではない。例えば、筐体を取り付けるベルトは、図示のように皮革製のベルト本体にバックルを備えたものに限らず、ゴム製の紐の両端をフック等で結んで支持体に取り付けるものでもよい。
【図面の簡単な説明】
【００２９】
【図１】実施形態の無停電電源装置の外観を示す斜視図。
【図２】実施形態の無停電電源装置の内部を示す図。
【図３】実施形態の無停電電源装置の使用状態を示す図。
【符号の説明】
【００３０】
１…無停電電源装置、２…バックアップ電源、３…筐体、４…ベルト体（取付手段）、５…吊下部（取付手段）、６…電力ケーブル（接続手段）、２１…バッテリー、２２…制御部、６２…接続クランプ、Ｘ…引込線、Ｙ…電柱、Ｚ…足場（突出部）。
【図１】
2008236970.tif 000003
【図２】
2008236970.tif 000004
【図３】
2008236970.tif 000005